(57)【特許請求の範囲】
【請求項１】
ユーザ端末ＵＥが、二線路の信号における第１線路の信号の平均平方誤差ＭＳＥと第２線路の信号のＭＳＥを算出するステップと、
前記ＵＥが、前記第１線路の信号のＭＳＥと前記第２線路の信号のＭＳＥとの合計に基づいて、複数のプリコーディングマトリクスから一つのプリコーディングマトリクスを選択するステップと、
前記ＵＥが、基地局に選択したプリコーディングマトリクスを利用して信号を伝送するように報知するステップと、を含み、
前記ＵＥが前記第１線路の信号のＭＳＥと前記第２線路の信号のＭＳＥとの合計に基づいて複数のプリコーディングマトリクスから一つのプリコーディングマトリクスを選択するステップが、
【数３８】
0005567673.tif 000039
（但し、ｃ（ｉ）００は第ｉ番目のプリコーディングマトリクスを利用する際の前記第１線路の信号のＭＳＥを示し、ｃ（ｉ）１１は第ｉ番目のプリコーディングマトリクスを利用する際の前記第２線路の信号のＭＳＥを示し、ｔは設定した閾値を示す）である場合、前記ＵＥが前記複数のプリコーディングマトリクスから前記二線路の信号におけるチャネルが良好の線路の信号のノイズが最小であるプリコーディングマトリクスを選択するステップを含むことを特徴とする信号伝送方法。
【請求項２】
前記ＵＥが、式
【数３９】
0005567673.tif 000040
（但し、ｉはプリコーディングマトリクスの番号であり、ｍｉｎは最小値を示し、ａｒｇｍｉｎは
【数４０】
0005567673.tif 000041
が最小値である際のｉ値を示す）に従って、前記複数のプリコーディングマトリクスから前記二線路の信号におけるチャネルが良好の線路の信号のノイズが最小であるプリコーディングマトリクスを選択することを特徴とする請求項１に記載の方法。
【請求項３】
前記ＵＥが前記第１線路の信号のＭＳＥと前記第２線路の信号のＭＳＥとの合計に基づいて複数のプリコーディングマトリクスから一つのプリコーディングマトリクスを選択するステップが、
【数４１】
0005567673.tif 000042
（但し、ｃ（ｉ）００は第ｉ番目のプリコーディングマトリクスを利用する際の前記第１線路の信号のＭＳＥを示し、ｃ（ｉ）１１は第ｉ番目のプリコーディングマトリクスを利用する際の前記第２線路の信号のＭＳＥを示し、ｔは設定した閾値である）である場合、前記ＵＥが前記複数のプリコーディングマトリクスから前記二線路の信号におけるチャネルが不良の線路の信号のノイズが最小であるプリコーディングマトリクスを選択するステップを含むことを特徴とする請求項１に記載の方法。
【請求項４】
前記ＵＥが、式
【数４２】
0005567673.tif 000043
（但し、ｉはプリコーディングマトリクスの番号であり、ｍａｘは最大値を示し、ａｒｇｍｉｎは
【数４３】
0005567673.tif 000044
が最小値である際のｉの値を示す）に従って、前記複数のプリコーディングマトリクスから前記二線路の信号におけるチャネルが不良の線路の信号のノイズが最小であるプリコーディングマトリクスを選択することを特徴とする請求項３に記載の方法。
【請求項５】
前記ＵＥが、式
【数４４】
0005567673.tif 000045
（但し、ｃ００は前記第１線路の信号のＭＳＥを示し、ｃ１１は前記第２線路の信号のＭＳＥを示し、ｃ０１とｃ１０は物理的の意味を持たず、Ｗは選択可能のプリコーディングマトリクスを示し、Ｈはチャネルマトリクスを示し、Ｎ０はノイズ平方偏差を示し、Ｉは単位マトリクスを示し、ＷＨはＷに共役転置を行うことを示し、ＨＨはＨに共役転置を行うことを示す）に従って、前記第１線路の信号のＭＳＥと前記第２線路の信号のＭＳＥを算出することを特徴とする請求項１乃至請求項４のいずれか一項に記載の方法。
【請求項６】
二線路の信号における第１線路の信号の平均平方誤差ＭＳＥと第２線路の信号のＭＳＥをそれぞれ算出する算出ブロックと、
前記第１線路の信号のＭＳＥと前記第２線路の信号のＭＳＥの合計に基づいて複数のプリコーディングマトリクスから一つのプリコーディングマトリクスを選択する選択ブロックと、
基地局に選択したプリコーディングマトリクスを利用して信号を伝送するように報知するフィードバックブロックと、を含み、
前記選択ブロックが、
【数４５】
0005567673.tif 000046
（但し、ｃ（ｉ）００は第ｉ番目のプリコーディングマトリクスを利用する際の前記第１線路の信号のＭＳＥを示し、ｃ（ｉ）１１は第ｉ番目のプリコーディングマトリクスを利用する際の前記第２線路の信号のＭＳＥを示し、ｔは予め得た閾値である）である場合、式
【数４６】
0005567673.tif 000047
（ｉはプリコーディングマトリクスの番号であり、ｍｉｎは最小値を示し、ａｒｇｍｉｎは
【数４７】
0005567673.tif 000048
が最小値である際のｉ値を示す）に従って、前記複数のプリコーディングマトリクスから前記二線路の信号におけるチャネルが良好の線路の信号のノイズが最小であるプリコーディングマトリクスを選択する第１選択サブブロックを含むことを特徴とするユーザ端末ＵＥ。
【請求項７】
前記選択ブロックが、さらに、
【数４８】
0005567673.tif 000049
（但し、ｃ（ｉ）００は第ｉ番目のプリコーディングマトリクスを利用する際の前記第１線路の信号のＭＳＥを示し、ｃ（ｉ）１１は第ｉ番目のプリコーディングマトリクスを利用する際の前記第２線路の信号のＭＳＥを示し、ｔは予め得た閾値である）である場合、式
【数４９】
0005567673.tif 000050
（ｉはプリコーディングマトリクスの番号であり、ｍａｘは最大値を示し、ａｒｇｍｉｎは
【数５０】
0005567673.tif 000051
が最小値である際のｉ値である）に従って、前記複数のプリコーディングマトリクスから前記二線路の信号におけるチャネルが不良の線路の信号のノイズが最小であるプリコーディングマトリクスを選択する第２選択サブブロックを含むことを特徴とする請求項６に記載のＵＥ。
【請求項８】
前記算出ブロックが、式
【数５１】
0005567673.tif 000052
（但し、ｃ００は前記第１線路の信号のＭＳＥを示し、ｃ１１は前記第２線路の信号のＭＳＥを示し、ｃ０１とｃ１０は物理的の意味を持たず、Ｗは選択可能のプリコーディングマトリクスであって、Ｈはチャネルマトリクスであり、Ｎ０はノイズ平方偏差であり、Ｉは単位マトリクスであり、ＷＨはＷに共役転置を行うことを示し、ＨＨはＨに共役転置を行うことを示す）に従って、前記第１線路の信号のＭＳＥと前記第２線路の信号のＭＳＥを算出することを特徴とする請求項６又は７に記載のＵＥ。
【発明の詳細な説明】
【技術分野】
【０００１】
本発明は、通信分野に関し、具体的には、信号伝送方法及びユーザ端末（Ｕｓｅｒ  Ｅｑｕｉｐｍｅｎｔ：ＵＥ）に関する。
【背景技術】
【０００２】
多入力多出力（Ｍｕｌｔｉｐｌｅ  Ｉｎｐｕｔ  Ｍｕｌｔｉｐｌｅ  Ｏｕｔｐｕｔ、以下ＭＩＭＯと略称）技術は第３世代（３ｒｄ  Ｇｅｎｅｒａｔｉｏｎ、以下３Ｇと略称）、第４世代（４ｔｈ  Ｇｅｎｅｒａｔｉｏｎ、以下４Ｇと略称）及び今後のブロードバンド無線通信におけるキーポイントである。ＭＩＭＯ技術を、開ループ（ｏｐｅｎ  ｌｏｏｐ）ＭＩＭＯ技術と、閉ループ（ｃｌｏｓｅｄ  ｌｏｏｐ）ＭＩＭＯ技術との二種類に分けることができる。閉ループＭＩＭＯ技術は、システム容量を大幅に向上できるが、伝送チャネルの情報を取得する必要がある。閉ループＭＩＭＯ技術において、伝送装置は伝送チャネルの特定に応じて適切な伝送方式を選択する。
【０００３】
ＬＴＥプロトコルにおいて、ユーザ端末（Ｕｓｅｒ  Ｅｑｕｉｐｍｅｎｔ、以下ＵＥと略称）が空間多重化の閉ループＭＩＭＯモードで動作する場合、ＵＥは予め決められた１組のプリコーディングマトリクスから最適（例えばシステムのスループットが最大）のプリコーディングマトリクスを選択し、該プリコーディングマトリクスを利用して信号伝送を行う。伝送アンテナ数が信号伝送線路数を超える場合、プリコーディングマトリクスの選択は理論的に証明可能の最適な解がある。例えば、システム容量最大化選択法、チャネルの右側固有マトリクスに関わる最大化選択法がある。しかし、このような方法は、伝送アンテナ数と信号伝送線路数とが同一である状況には適用しない。ＬＴＥシステムにおいて、一番常用のアンテナ配置状況は、基地局（ＮｏｄｅＢ）に二つの伝送アンテナが装着され、ＵＥに二つの受信アンテナが装着された状況である。ＮｏｄｅＢは空間多重化モードで二線路の信号を同時に伝送する。ＵＥはプロトコルにおける二つのプリコーディングマトリクスから最適の一つを選択し、ＮｏｄｅＢにフィードバックしなければならない。この時、伝送アンテナ数は信号線路数と同一である。ＬＴＥ提案によると、伝送アンテナ数が信号線路数と同一である場合の最適のプリコーディングマトリクス選択方法を提供し、具体的には、
【数１】
0005567673.tif 000002
である。
【０００４】
上記方法は、ＭＭＳＥ受信機に基づくシステム容量最大化選択方法であり、但し、
ｃ（ｉ）００、ｃ（ｉ）１１は、それぞれプリコーディングマトリクスｉを利用する際の第０線路の信号と第１線路の信号の平均平方誤差（Ｍｅａｎ  Ｓｑｕａｒｅｄ  Ｅｒｒｏｒ、以下ＭＳＥと略称）を示す。当該方法は、二線路の信号のＭＳＥ差を最大化した時と同じ効果を生じ得る。このようなアルゴリズムを伝送アンテナ数が信号線路数と同一のＬＴＥシステムに適用する場合、その性能は弱く、チャネルの空間特性が不良の場合、ＭＳＥが低い線路の信号の通過可能性が高いが、チャネル空間特性が良好の場合、ＭＳＥが高い線路の信号を正常に受信できなくなる。そして、他の伝送アンテナ数が信号線路数と同一のＬＴＥシステムに応用できるプリコーディングマトリクス選択方法が公開されているが、当該方法によると、二線路の信号のＭＳＥを平均化してしまう。
【０００５】
しかし、実際において、どのような状況でＭＳＥ差最大化方法を利用し、どのような状況でＭＳＥ平均化方法を利用するかを判断できず、それによって最適のプリコーディングマトリクスを選択することができないため、信号の正確な伝送を実現できなくなる。
【発明の概要】
【発明が解決しようとする課題】
【０００６】
本発明は、関連技術において、ユーザ端末ＵＥがどのような状況でＭＳＥ差最大化方法を利用し、どのような状況でＭＳＥ平均化方法を利用するかを判断できないため信号の正確な伝送が保証できない問題に鑑み、上記問題における少なくとも一つを解決できる信号伝送方法及びＵＥを提供することを目的とする。
【課題を解決するための手段】
【０００７】
上記目的を実現するため、本発明の一方面によると、信号伝送方法を提供する。
【０００８】
本発明に係る信号伝送方法は、ＵＥが、二線路の信号における第１線路の信号のＭＳＥと第２線路の信号のＭＳＥを算出するステップと、ＵＥが、第１線路の信号のＭＳＥと第２線路の信号のＭＳＥとの合計に基づいて、複数のプリコーディングマトリクスから一つのプリコーディングマトリクスを選択するステップと、ＵＥが、基地局に選択したプリコーディングマトリクスを利用して信号を伝送するように報知するステップと、を含む。
【０００９】
ＵＥが第１線路の信号のＭＳＥと第２線路の信号のＭＳＥとの合計に基づいて複数のプリコーディングマトリクスから一つのプリコーディングマトリクスを選択するステップが、
【数２】
0005567673.tif 000003
である場合、ＵＥが複数のプリコーディングマトリクスから二線路の信号におけるチャネルが良好の線路の信号のノイズが最小であるプリコーディングマトリクスを選択するステップを含むことが好ましい。但し、ｃ（ｉ）００は第ｉ番目のプリコーディングマトリクスを利用する際の第１線路の信号のＭＳＥを示し、ｃ（ｉ）１１は第ｉ番目のプリコーディングマトリクスを利用する際の第２線路の信号のＭＳＥを示し、ｔは設定した閾値を示す。
【００１０】
ＵＥが下式に従って複数のプリコーディングマトリクスから二線路の信号におけるチャネルが良好の線路の信号のノイズが最小であるプリコーディングマトリクスを選択することが好ましい。
【数３】
0005567673.tif 000004
但し、ｉはプリコーディングマトリクスの番号であり、ｍｉｎは最小値を示し、ａｒｇｍｉｎは
【数４】
0005567673.tif 000005
が最小値である際のｉ値を示す。
【００１１】
ＵＥが第１線路の信号のＭＳＥと第２線路の信号のＭＳＥとの合計に基づいて複数のプリコーディングマトリクスから一つのプリコーディングマトリクスを選択するステップが、
【数５】
0005567673.tif 000006
である場合、ＵＥが複数のプリコーディングマトリクスから二線路の信号におけるチャネルが不良の線路の信号のノイズが最小であるプリコーディングマトリクスを選択するステップを含むことが好ましい。但し、ｃ（ｉ）００は第ｉ番目のプリコーディングマトリクスを利用する際の第１線路の信号のＭＳＥを示し、ｃ（ｉ）１１は第ｉ番目のプリコーディングマトリクスを利用する際の第２線路の信号のＭＳＥを示し、ｔは設定した閾値である。
【００１２】
下式に従って複数のプリコーディングマトリクスから二線路の信号におけるチャネルが不良の線路の信号のノイズが最小であるプリコーディングマトリクスを選択することが好ましい。
【数６】
0005567673.tif 000007
、但し、ｉはプリコーディングマトリクスの番号であり、ｍａｘは最大値を示し、ａｒｇｍｉｎは
【数７】
0005567673.tif 000008
が最小値である際のｉの値を示す。
【００１３】
ＵＥが下式に従って第１線路の信号のＭＳＥと第２線路の信号のＭＳＥを算出することが好ましい。
【数８】
0005567673.tif 000009
、但し、ｃ００は上記第１線路の信号のＭＳＥを示し、ｃ１１は上記第２線路の信号のＭＳＥを示し、ｃ０１とｃ１０は物理的の意味を持っておらず、Ｗは選択可能のプリコーディングマトリクスを示し、Ｈはチャネルマトリクスを示し、Ｎ０はノイズ平方偏差を示し、Ｉは単位マトリクスを示し、ＷＨはＷに共役転置を行うことを示し、ＨＨはＨに共役転置を行うことを示す。
【００１４】
上記目的を実現するために、本発明の他の一方面によると、ユーザ端末ＵＥを提供する。
【００１５】
本発明に係るＵＥは、二線路の信号における第１線路の信号の平均平方誤差ＭＳＥと第２線路の信号のＭＳＥを算出する算出ブロックと、第１線路の信号のＭＳＥと第２線路の信号のＭＳＥの合計に基づいて複数のプリコーディングマトリクスから一つのプリコーディングマトリクスを選択する選択ブロックと、基地局に選択したプリコーディングマトリクスを利用して信号を伝送するように報知するフィードバックブロックと、を含む。
【００１６】
選択ブロックが、
【数９】
0005567673.tif 000010
である場合、式
【数１０】
0005567673.tif 000011
に従って複数のプリコーディングマトリクスから二線路の信号におけるチャネルが良好の線路の信号のノイズが最小であるプリコーディングマトリクスを選択する第１選択サブブロックを含むことが好ましい。但し、ｃ（ｉ）００は第ｉ番目のプリコーディングマトリクスを利用する際の第１線路の信号のＭＳＥを示し、ｃ（ｉ）１１は第ｉ番目のプリコーディングマトリクスを利用する際の第２線路の信号のＭＳＥを示し、ｔは予め得た閾値であり、上記式
【数１１】
0005567673.tif 000012
において、ｉはプリコーディングマトリクスの番号であり、ｍｉｎは最小値を示し、ａｒｇｍｉｎは
【数１２】
0005567673.tif 000013
が最小値である際のｉ値を示す。
【００１７】
選択ブロックが、
【数１３】
0005567673.tif 000014
である場合、式
【数１４】
0005567673.tif 000015
に従って複数のプリコーディングマトリクスから二線路の信号におけるチャネルが不良の線路の信号のノイズが最小であるプリコーディングマトリクスを選択する第２選択サブブロックを含むことが好ましい。但し、ｃ（ｉ）００は第ｉ番目のプリコーディングマトリクスを利用する際の第１線路の信号のＭＳＥを示し、ｃ（ｉ）１１は第ｉ番目のプリコーディングマトリクスを利用する際の第２線路の信号のＭＳＥを示し、ｔは予め得た閾値であり、上記式
【数１５】
0005567673.tif 000016
において、ｉはプリコーディングマトリクスの番号であり、ｍａｘは最大値を示し、ａｒｇｍｉｎは
【数１６】
0005567673.tif 000017
が最小値である際のｉ値である。
【００１８】
算出ブロックが、下式に従って第１線路の信号のＭＳＥと第２線路の信号のＭＳＥを算出することが好ましい。
【数１７】
0005567673.tif 000018
、但し、ｃ００は上記第１線路の信号のＭＳＥを示し、ｃ１１は上記第２線路の信号のＭＳＥを示し、ｃ０１とｃ１０は物理的の意味を持たず、Ｗは選択可能のプリコーディングマトリクスであって、Ｈはチャネルマトリクスであり、Ｎ０はノイズ平方偏差であり、Ｉは単位マトリクスであり、ＷＨはＷに共役転置を行うことを示し、ＨＨはＨに共役転置を行うことを示す。
【発明の効果】
【００１９】
本発明によると、ＵＥが、二線路の信号における第１線路の信号のＭＳＥと第２線路の信号のＭＳＥを算出し、第１線路の信号のＭＳＥと第２線路の信号のＭＳＥの合計に基づいて複数のプリコーディングマトリクスから一つのプリコーディングマトリクスを選択し、基地局に選択したプリコーディングマトリクスを利用して信号伝送を行うように報知することによって、関連技術において、ＵＥがどのような状況でＭＳＥ差最大化方法を利用し、どのような状況でＭＳＥ平均化方法を利用するかを判断できないため、信号の正常の伝送が保証されない問題を解決し、システムのブロックエラー率を低減し、システムのスループットを向上する。
【図面の簡単な説明】
【００２０】
ここで説明する図面は本発明を理解するためのものであり、本発明の一部を構成し、本発明における実施例と共に本発明を解釈し、本発明を不当に限定するものではない。
【図１】図１は、本発明の実施例に係る信号伝送方法を示すフローチャートである。
【図２】図２は、本発明の実施例に係る性能シミュレーショングラフである。
【図３】図３は、本発明の実施例に係るＵＥ構造を示すブロック図である。
【図４】図４は、本発明の実施例に係るその他のＵＥの構造を示すブロック図である。
【発明を実施するための形態】
【００２１】
本発明の実施例によると、信号伝送方法を提供し、実施中に最小平均平方誤差ＭＭＳＥ受信機の二線路の信号のＭＳＥの合計は同一であって、プリコーディングマトリクスが異なるにつれ、二線路の信号間でのＭＳＥの分布が異なることを発見し、該二線路の信号のＭＳＥをプリコーディングマトリクス選択の判断根拠とし、即ち、チャネルの空間特性に基づいてプリコーディングマトリクスを選択する。その処理原則は、二線路の信号におけるの第１線路の信号のＭＳＥと第２線路の信号のＭＳＥを算出し、基地局が選択したプリコーディングマトリクスに基づいて信号伝送を行うように、第１線路の信号のＭＳＥと第２線路の信号のＭＳＥの合計に基づいて複数のプリコーディングマトリクスから一つのプリコーディングマトリクスを選択することである。本実施例によると、ＭＳＥはチャネルの空間特性が良好である場合もっともバランスよく、この際、ＭＳＥが高い信号も正常に受信でき、そうでなければ差が大きくなる。
【００２２】
ここで、互いに矛盾しない限り、本発明における実施例及び実施例に記載の特徴を組み合わせることができる。以下、図面を参照しつつ実施例に合わせ本発明を詳しく説明する。
【００２３】
以下の実施例において、フローチャートに示すステップを計算装置の指令を実行できる１組の計算装置システムにおいて実行でき、フローチャートに論理的な順を示しているが、図面に示すステップ又は説明したステップを異なる順で行うこともできる。
【００２４】
方法実施例
本発明の実施例は信号伝送方法を提供し、図１は、本発明の実施例に係る信号伝送方法のフローチャートである。図１に示すように、上記方法は以下のようなステップＳ１０２〜ステップ１０６を含む。
【００２５】
ＵＥは二線路の信号における第１線路の信号のＭＳＥと第２線路の信号のＭＳＥを算出する（ステップＳ１０２）。
【００２６】
ＵＥは第１線路の信号のＭＳＥと第２線路の信号のＭＳＥの合計に基づいて複数のプリコーディングマトリクスから一つのプリコーディングマトリクスを選択する（ステップＳ１０４）。
【００２７】
当該ステップにおいて、ＵＥは、第１線路の信号のＭＳＥと第２線路の信号のＭＳＥの合計を、ＭＳＥ最大化方法を利用するかそれともＭＳＥ平均化方法を利用するかを判断する際の根拠とし、複数のプリコーディングマトリクスから一つのプリコーディングマトリクスを選択する。
【００２８】
ＵＥは、基地局に選択したプリコーディングマトリクスを利用して信号を伝送するように報知する（ステップＳ１０６）。
【００２９】
関連技術において、ＵＥはどのような状況でＭＳＥ差最大化方法を利用し、どのような状況ではＭＳＥ平均化方法を利用するかを判断することができないので、信号の正確な伝送が保証されない。本実施例によると、ＵＥが第１線路の信号のＭＳＥと第２線路の信号のＭＳＥの合計に基づいて複数のプリコーディングマトリクスから最適のプリコーディングマトリクスを選択して基地局に選択したマトリクスを利用して信号を送信するように報知することによって信号の正確な伝送を保証する。
【００３０】
ステップＳ１０４において、
【数１８】
0005567673.tif 000019
である場合、ＵＥは複数のプリコーディングマトリクスから二線路の信号におけるチャネルが良好の線路の信号のノイズが最小であるプリコーディングマトリクスを選択し、但し、ｃ（ｉ）００は第ｉ番目のプリコーディングマトリクスを利用する際の第１線路の信号のＭＳＥを示し、ｃ（ｉ）１１は第ｉ番目のプリコーディングマトリクスを利用する際の第２線路の信号のＭＳＥを示し、ｔは設定した閾値であり、閾値ｔはシミュレーションによって得ることができれば、予め設定することもできる。但し、下式に従って複数のプリコーディングマトリクスから二線路の信号におけるチャネルが良好の線路の信号のノイズが最小であるプリコーディングマトリクスを選択することができる。
【数１９】
0005567673.tif 000020
、但し、ｉはプリコーディングマトリクスの番号であり、ｍｉｎは最小値を示し、ａｒｇｍｉｎは
【数２０】
0005567673.tif 000021
が最小値である際のｉ値を示す。
【００３１】
ステップＳ１０４において、
【数２１】
0005567673.tif 000022
である場合、ＵＥは複数のプリコーディングマトリクスから二線路の信号におけるチャネルが不良の線路の信号のノイズが最小であるプリコーディングマトリクスを選択し、但し、ｃ（ｉ）００は第ｉ番目のプリコーディングマトリクスを利用する際の第１線路の信号のＭＳＥを示し、ｃ（ｉ）１１は第ｉ番目のプリコーディングマトリクスを利用する際の第２線路の信号のＭＳＥを示し、ｔは設定した閾値であり、但し、下式に従って複数のプリコーディングマトリクスから二線路の信号におけるチャネルが不良の線路の信号のノイズが最小であるプリコーディングマトリクスを選択することができる。
【数２２】
0005567673.tif 000023
、但し、ｉはプリコーディングマトリクスの番号であり、ｍａｘは最大値を示し、ａｒｇｍｉｎは
【数２３】
0005567673.tif 000024
が最小値である際のｉ値を示す。
【００３２】
ステップＳ１０２において、下式に従って第１線路の信号のＭＳＥと第２線路の信号のＭＳＥを算出することができる。
【数２４】
0005567673.tif 000025
、但し、ｃ００は上記第１線路の信号のＭＳＥを示し、ｃ１１は上記第２線路の信号のＭＳＥを示し、ｃ０１とｃ１０は物理的の意味を持たず、Ｗは選択可能のプリコーディングマトリクスであり、Ｈはチャネルマトリクスであり、Ｎ０はノイズ平方偏差（ｖａｒｉａｎｃｅ）であり、Ｉは単位マトリクスであり、ＷＨはＷに共役転置を行うことを示し、ＨＨはＨに共役転置を行うことを示す。
【００３３】
以下、実施例に合わせ本発明の実施例の具現化過程を詳しく説明する。
【００３４】
ＭＭＳＥ受信機の二線路の信号のＭＳＥをプリコーディングマトリクス選択の判断根拠とし、但し、二線路の信号のＭＳＥを下式に従って算出することができる。
【数２５】
0005567673.tif 000026
但し、ｃ００、ｃ１１はそれぞれ第０線路と第１線路の信号のＭＳＥを示し、Ｗは選択可能のプリコーディングマトリクスを示し、Ｈはチャネルマトリクスを示し、Ｎ０はノイズ平方偏差を示し、Ｉは単位マトリクスを示し、ＷＨはＷに共役転置を行うことを示し、ＨＨはＨに共役転置を行うことを示し、ｃ０１、ｃ１０の値は物理的の意味を持たない。
【００３５】
ｃ００とｃ１１の合計は異なるプリコーディングマトリクスにおいて同一である。
【００３６】
ＭＳＥを判断根拠とする場合、空間チャネルの特性に応じて二つの相反する選択方式がある。チャネルの空間特性が良好の場合（二線路の信号のＭＳＥの合計が小さい場合）、二線路の信号のＭＳＥが平均化されるプリコーディングマトリクスを選択し、そうでなければ、二線路の信号における小さいＭＳＥが最小になるプリコーディングマトリクスを選択する。即ち、一線路の信号の正確な受信を保証する。
【００３７】
【数２６】
0005567673.tif 000027
を算出し（ステップ１）、
ｃ（ｉ）００、ｃ（ｉ）１１はそれぞれプリコーディングマトリクスｉを利用する際の第０線路と第１線路の信号のＭＳＥを示す。
【００３８】
【数２７】
0005567673.tif 000028
であると、即ち、チャネルの空間特性が不良であると、チャネルが比較的に良好の線路の信号のノイズが最小であるプリコーディングマトリクスを選択し、即ち、できる限り一線路の信号を通過させ（ステップ２）、但し、チャネルが比較的に良好であるとはノイズが比較的に小さいことを示す。この時、下式に従ってプリコーディングマトリクスを選択することができる。
【数２８】
0005567673.tif 000029
、但し、ｉは選択したプリコーディングマトリクスのインデックス番号であり、閾値ｔはシミュレーションによって選択する。即ち、様々なチャネル条件で異なる閾値をシミュレーションして但しの最適の値を選択する。
【００３９】
一方、
【数２９】
0005567673.tif 000030
であると、即ち、チャネルの空間特性が良好であると、チャネルが比較的に不良の線路の信号のノイズが最小であるプリコーディングマトリクスを選択し、即ち、可能な限り二線路の信号を通過させ、但し、チャネルが比較的に不良であるとはノイズが比較的に大きいことを示す。この時、下式に従ってプリコーディングマトリクスを選択することができる。
【数３０】
0005567673.tif 000031
【００４０】
ＵＥは、基地局に選択したプリコーディングマトリクスを利用して信号伝送を行うように報知する（ステップ３）。
【００４１】
本実施例によると、二つの伝送アンテナと二線路の信号の空間多重化の閉ループＭＩＭＯモードに対し、チャネル特性に応じてプリコーディングマトリクスを選択する際の判断根拠を自ら適応的に選択する。図２は本発明の実施例に係る性能シミュレーショングラフであり、図２に示すように、横軸はＳＮＲ（ｓｉｇｎａｌ  ｔｏ  Ｎｏｉｓｅ  Ｒａｔｉｏ：信号対ノイズ比）（単位はｄＢである）であって、縦軸はＢＬＥＲ（ＢＬｏｃｋ  Ｅｒｒｏｒ  Ｒａｔｅ：ブロックエラー率）である。但し、「Ｏｐｅｎ  Ｌｏｏｐ」はプリコーディングマトリクスがランダムに選択され、選択された後変更しないことを示し、「Ｏｐｔｉｍａｌ  Ｓｅｌｅｃｔｉｏｎ」は同一のチャネルにそれぞれ異なるプリコーディングマトリクスを利用してシミュレーションを二回行い、二回の中の最小のＢＬＥＲを選択することを示す。即ち、毎回最適のプリコーディングマトリクスを選択した場合のＢＬＥＲを示す。「Ａｄａｐｔｉｖｅ  Ｓｅｌｅｃｔｉｏｎ」は本実施例のアルゴリズムである。図２から本実施例のアルゴリズムの性能が最適に近いことを確定できる。
【００４２】
装置実施例
本発明の実施例は、ユーザ端末ＵＥを提供し、図３は本発明の実施例に係るＵＥの構造を示すブロック図である。上記装置は、算出ブロック３２と、選択ブロック３４と、フィードバックブロック３６と、を含む。以下その構造を詳しく説明する。
【００４３】
算出ブロック３２は、二線路の信号における第１線路の信号のＭＳＥと第２線路の信号のＭＳＥをそれぞれ算出する。選択ブロック３４は、算出ブロック３２に接続され、第１線路の信号のＭＳＥと第２線路の信号のＭＳＥの合計に基づいて複数のプリコーディングマトリクスから一つのプリコーディングマトリクスを選択する。フィードバックブロック３６は、基地局に選択したプリコーディングマトリクスを利用して信号を伝送するように報知する。
【００４４】
図４は、本発明の図３に示す実施例に係る最適のＵＥの構造を示すブロック図である。但し、選択ブロック３４は、第１選択サブブロック４２と、第２選択サブブロック４４と、を含む。
【００４５】
第１選択サブブロック４２は、
【数３１】
0005567673.tif 000032
である場合、式
【数３２】
0005567673.tif 000033
に従って複数のプリコーディングマトリクスから二線路の信号におけるチャネルが比較的に良好の線路の信号のノイズが最小であるプリコーディングマトリクスを選択し、但し、ｃ（ｉ）００は第ｉ番目のプリコーディングマトリクスを利用する際の第１線路の信号のＭＳＥを示し、ｃ（ｉ）１１は第ｉ番目のプリコーディングマトリクスを利用する際の第２線路の信号のＭＳＥを示し、ｔは予め得た閾値であり、ｉはプリコーディングマトリクスの番号であり、ｍｉｎは最小値を示し、ａｒｇｍｉｎは
【数３３】
0005567673.tif 000034
が最小値である際のｉ値を示す。
【００４６】
第２選択サブブロック４４は、
【数３４】
0005567673.tif 000035
である場合、式
【数３５】
0005567673.tif 000036
に従って複数のプリコーディングマトリクスから二線路の信号におけるチャネルが比較的に不良の線路の信号のノイズが最小であるプリコーディングマトリクスを選択し、但し、ｃ（ｉ）００は第ｉ番目のプリコーディングマトリクスを利用する際の第１線路の信号のＭＳＥを示し、ｃ（ｉ）１１は第ｉ番目のプリコーディングマトリクスを利用する際の第２線路の信号のＭＳＥを示し、ｔは予め得た閾値であり、ｉはプリコーディングマトリクスの番号であり、ｍａｘは最大値を示し、ａｒｇｍｉｎは
【数３６】
0005567673.tif 000037
が最小値である際のｉ値を示す。
【００４７】
算出ブロック３２は、下式に従って第１線路の信号のＭＳＥと第２線路の信号のＭＳＥを算出する。
【数３７】
0005567673.tif 000038
、但し、ｃ００は上記第１線路の信号のＭＳＥを示し、ｃ１１は上記第２線路の信号のＭＳＥを示し、ｃ０１とｃ１０は物理的の意味を持たず、Ｗは選択可能のプリコーディングマトリクスであり、Ｈはチャネルマトリクスを示し、Ｎ０はノイズ平方偏差であって、Ｉは単位マトリクスであり、ＷＨはＷに共役転置を行うことを示し、ＨＨはＨに共役転置を行うことを示す。
【００４８】
上述のように、本発明の実施例によると、関連技術において、ブリコーディングマトリクス選択方法をＬＴＥにおける二つの伝送アンテナ、二つの線路の信号の状況に適用できず、又は性能が不良である問題を解決し、システムのブロックエラー率を低減し、スループットを向上する。
【００４９】
当業者にとって、上述の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【００５０】
以上は、本発明の好適な実施例に過ぎず、本発明を限定するものではない。当業者であれば本発明に様々な修正や変形が可能である。本発明の精神や原則内で行う如何なる修正、置換、改良などは本発明の保護範囲内に含まれる。
【図１】
0005567673.tif 000053
【図３】
0005567673.tif 000054
【図４】
0005567673.tif 000055
【図２】
0005567673.tif 000056